(57)【要約】【課題】簡便かつ正確にバッテリーの残存価値を決定することができるバッテリー残存価値決定システムを提供する。【解決手段】バッテリー残存価値決定システムは、バッテリーの電圧、電流、温度及び製造時期からの経過期間に関する情報を受信するバッテリー情報受信部と、バッテリーのＳＯＨを示す第１残存価値を決定する第１残存価値決定部と、第１残存価値の補正に用いられるバッテリー固有のＳＯＨの経時的な変化を示す減衰関数を決定する減衰関数決定部と、減衰関数を用いてバッテリーの製造時期からの経過期間に応じて第１残存価値を補正した第２残存価値を決定して出力する第２残存価値出力部とを備える。【選択図】図１
2020170622.tif 000002
【特許請求の範囲】
【請求項１】
残存価値の決定対象であるバッテリーの電圧、電流、温度及び製造時期からの経過期間に関する情報を受信するバッテリー情報受信部と、
前記バッテリー情報受信部が受信した前記バッテリーの電圧、電流及び温度に関する情報に基づいて該バッテリーのＳＯＨ（Ｓｔａｔｅ Ｏｆ Ｈｅａｌｔｈ）を示す第１残存価値を決定する第１残存価値決定部と、
前記バッテリーの前記第１残存価値の補正に用いられる前記バッテリー固有のＳＯＨの経時的な変化を示す減衰関数を決定する減衰関数決定部と、
前記減衰関数を用いて前記バッテリーの製造時期からの経過期間に応じて前記第１残存価値を補正した第２残存価値を決定して出力する第２残存価値出力部とを備えることを特徴とするバッテリー残存価値決定システム。
【請求項２】
請求項１に記載のバッテリー残存価値決定システムにおいて、
前記バッテリー情報受信部は、前記製造時期からの経過期間に関する情報及び該バッテリーの耐用年数を示す情報を受信するように構成され、
前記減衰関数決定部は、前記バッテリー情報受信部により受信された前記バッテリーの前記製造時期からの経過期間に関する情報及び該バッテリーの耐用年数を示す情報に基づいて決定した減衰関数を用いて減衰係数を決定するように構成され、
前記第２残存価値出力部は、前記第１残存価値に前記減衰係数を乗じた値を前記第２残存価値として決定するように構成されていることを特徴とするバッテリー残存価値決定システム。
【請求項３】
請求項２に記載のバッテリー残存価値決定システムにおいて、
前記減衰関数決定部は、下記式（１）を用いて減衰係数を決定するように構成されていることを特徴とするバッテリー残存価値決定システム。
【数１】
2020170622.tif 000005
ただし、ｙは前記バッテリーの減衰係数であり、ａは定数であり、ｂはバッテリーの耐用年数を示す値であり、ｅはネイピア数であり、ｘはバッテリーの製造時期からの経過期間を年数で示す値である。
【請求項４】
コンピューターが実行するバッテリー残存価値決定方法であって、
残存価値の決定対象であるバッテリーの電圧、電流、温度及び製造時期からの経過期間に関する情報を受信するバッテリー情報受信工程と、
受信した前記バッテリーの電圧、電流及び温度に関する情報に基づいて該バッテリーのＳＯＨ（Ｓｔａｔｅ Ｏｆ Ｈｅａｌｔｈ）を示す第１残存価値を決定する第１残存価値決定工程と、
前記バッテリーの前記第１残存価値の補正に用いられる前記バッテリー固有のＳＯＨの経時的な変化を示す減衰関数を決定する減衰関数決定工程と、
前記減衰関数を用いて前記バッテリーの製造時期からの経過期間に応じて前記第１残存価値を補正した第２残存価値を決定して出力する第２残存価値出力工程とを含むことを特徴とするバッテリー残存価値決定方法。
【発明の詳細な説明】
【技術分野】
【０００１】
本発明は、バッテリーの残存価値を決定するシステムに関する。
【背景技術】
【０００２】
従来、電気自動車やハイブリッド車の残存価値を決定するシステムが知られている。（特許文献１参照）。
【０００３】
特許文献１のシステムによれば、電気自動車やハイブリッド車の残存価値を決定するための、バッテリーの劣化パラメータに基づいた二次電池の残存価値を決定することができる。
【先行技術文献】
【特許文献】
【０００４】
【特許文献１】特開２００６−１９７７６５号公報
【発明の概要】
【発明が解決しようとする課題】
【０００５】
電気自動車やハイブリッド車の残存価値の決定において、駆動用バッテリーの残存価値は重要な要素であるので、特許文献１のようなシステムのユーザーには、バッテリーの正確な残存価値を知りたいという高いニーズがある。
【０００６】
しかしながら、特許文献１のシステムは、劣化パラメータに基づいて二次電池の残存価値を決定するとされているものの、これらの劣化パラメータに基づいてどのように二次電池の残存価値を決定するかについては明確でない。
【０００７】
結果として、特許文献１のシステムでは、電気自動車やハイブリッド車の残存価値を決定するためにバッテリーの正確な残存価値を知りたいというユーザーのニーズにこたえることができない。
【０００８】
本発明の目的は、かかる従来技術の課題に鑑み、簡便かつ正確にバッテリーの残存価値を決定することができるバッテリー残存価値決定システムを提供することにある。
【課題を解決するための手段】
【０００９】
本発明のバッテリー残存価値決定システムは、
残存価値の決定対象であるバッテリーの電圧、電流、温度及び製造時期からの経過期間に関する情報を受信するバッテリー情報受信部と、
前記バッテリー情報受信部が受信した前記バッテリーの電圧、電流及び温度に関する情報に基づいて該バッテリーのＳＯＨ（Ｓｔａｔｅ Ｏｆ Ｈｅａｌｔｈ）を示す第１残存価値を決定する第１残存価値決定部と、
前記バッテリーの前記第１残存価値の補正に用いられる前記バッテリー固有のＳＯＨの経時的な変化を示す減衰関数を決定する減衰関数決定部と、
前記減衰関数を用いて前記バッテリーの製造時期からの経過期間に応じて前記第１残存価値を補正した第２残存価値を決定して出力する第２残存価値出力部とを備えることを特徴とする。
【００１０】
残存価値の決定対象であるバッテリーの電圧、電流、温度の測定値に基づいて決定されたバッテリーのＳＯＨ（Ｓｔａｔｅ Ｏｆ Ｈｅａｌｔｈ）の値が同一であっても、バッテリーが製造されてから測定時点までの経過期間の長さによって、その後の当該バッテリーの劣化の進行速度は大きく異なり、結果として当該バッテリーの残存価値も大きく異なる。そのため、バッテリーの残存価値を正確に決定するためには、バッテリーの古さ、たとえば製造時期からの経過期間を考慮する必要がある。
【００１１】
本発明のバッテリー残存価値決定システムによれば、バッテリー情報受信部により、バッテリーの電圧、電流、温度及び製造時期からの経過期間に関する情報が受信され、第１残存価値決定部により、バッテリーの電圧、電流及び温度に関する情報に基づいて該バッテリーのＳＯＨを示す第１残存価値が決定される。
【００１２】
また、減衰関数決定部は前記バッテリー固有のＳＯＨの経時的変化を示す減数関数を備えているので、第２残存価値出力部により、前記バッテリーの製造時期からの経過期間に基づいて減衰関数を用いてバッテリーの第１残存価値を補正した第２残存価値が決定されて出力される。
【００１３】
これによりユーザーに、バッテリーの古さを考慮した、当該バッテリーの正確な残存価値を簡便に知らせることができる。
【００１４】
このように、本発明のバッテリー残存価値決定システムによれば、簡便かつ正確にバッテリーの残存価値を決定することができる。
【００１５】
本発明のバッテリー残存価値決定システムにおいて、
前記バッテリー情報受信部は、前記製造時期からの経過期間に関する情報及び該バッテリーの耐用年数を示す情報を受信するように構成され、
前記減衰関数決定部は、前記バッテリー情報受信部により受信された前記バッテリーの前記製造時期からの経過期間に関する情報及び該バッテリーの耐用年数を示す情報に基づいて決定した減衰関数を用いて減衰係数を決定するように構成され、
前記第２残存価値出力部は、前記第１残存価値に前記減衰係数を乗じた値を前記第２残存価値として決定するように構成されていることが好ましい。
【００１６】
バッテリーの残存価値を決定する上で、当該バッテリーの将来的なメンテナンスコストの多寡は重要な要素である。そして、バッテリーは、耐用年数を経過した後に故障した場合には、メーカーの保証を受けることができず、メンテナンスコストを当該バッテリーの所有者等自らが負担することとなる。そのため、残存価値の決定対象であるバッテリーの製造時期からの経過期間と、当該バッテリーの耐用年数とは、バッテリーの残存価値を正確に決定する際の重要な要素である。
【００１７】
本発明のバッテリー残存価値決定システムによれば、バッテリー情報受信部により、残存価値の決定対象であるバッテリーの製造時期からの経過期間を示す情報及び該バッテリーの耐用年数を示す情報が受信される。
【００１８】
そして、減衰関数決定部により、バッテリー情報受信部により受信されたバッテリーの製造時期からの経過期間に関する情報及び該バッテリーの耐用年数を示す情報に基づいて減衰係数が決定され、第２残存価値出力部により、第１残存価値に減衰係数を乗じた値が第２残存価値として決定される。
【００１９】
これにより、バッテリーの残存価値の決定にあたって、当該バッテリーの製造時期からの経過期間と耐用年数とが考慮されるので、バッテリーの残存価値をより正確に決定することができる。
【００２０】
このように、本発明のバッテリー残存価値決定システムによれば、簡便でより正確にバッテリーの残存価値を決定することができる。
【００２１】
本発明のバッテリー残存価値決定システムにおいて、
前記減衰関数決定部は、下記式（１）を用いて減衰係数を決定するように構成されていることが好ましい。
【００２２】
【数１】
2020170622.tif 000003
【００２３】
ただし、ｙは前記バッテリーの減衰係数であり、ａは定数であり、ｂはバッテリーの耐用年数を示す値であり、ｅはネイピア数であり、ｘはバッテリーの製造時期からの経過期間を年数で示す値である。
【００２４】
バッテリーの残存価値は、製造時期からの経過期間に応じて必ずしも直線的には低下しない。販売直後に、すなわち新品の状態を脱したタイミングで若干低下した後に、まだ新品同様である一定の初期段階においてはなだらかに低下し、その後メーカーによる無償修理を受けることができなくなる耐用年数に向けて急速に低下していく。
【００２５】
そしてバッテリーの残存価値は、耐用年数の経過後も急激な低下を続けるが、一方で、最終的にバッテリーとしての用途に用いることができなくとも、バッテリーに含まれるレアメタルなどをリサイクルすることができるので、残存価値がなくなることはないため、バッテリー寿命の最終局面においては、バッテリーの残存価値の低下速度は逓減していく。
【００２６】
すなわちバッテリーの残存価値は、初期段階において緩やかに低下し、その後急激に低下するものの、その寿命の最終局面においては一定程度の残存価値を維持し続けるというカーブを描きながら変化することがより現実的である。
【００２７】
本発明のバッテリー残存価値決定システムによれば、減衰関数決定部により、上記のようなシグモイド関数式（１）を用いて減衰係数が決定され、第２残存価値出力部により、第１残存価値に減衰係数を乗じた値が第２残存価値として決定される。
【００２８】
これにより、上記式（１）が減衰関数として用いられるので、上記のようなより現実に近いバッテリーの残存価値の経時的な変化のカーブを簡便に近似することができる。
【００２９】
このように、本発明のバッテリー残存価値決定システムによれば、簡便でより現実的なバッテリーの残存価値を決定することができる。
【図面の簡単な説明】
【００３０】
【図１】バッテリー残存価値決定システムの全体構成を示すブロック図。
【図２】バッテリー残存価値決定システムによる処理の内容を示すフローチャート。
【図３Ａ】バッテリー残存価値決定システムの出力の内容の一例を示す図。
【図３Ｂ】バッテリー残存価値決定システムの出力の内容の他の例を示す図。
【発明を実施するための形態】
【００３１】
図を用いて、本実施形態のバッテリー残存価値決定システムについて説明する。なお同一の構成については、同一の符号を付して説明を省略することがある。
【００３２】
まず、図１を参照して、本実施形態のバッテリー残存価値決定システムの構成を説明する。本実施形態のバッテリー残存価値決定システムは、ユーザー装置１０と、サーバー３０とを備えている。ユーザー装置１０とサーバー３０との間は、通信ネットワーク５０により相互に通信可能に接続され、コンピューターネットワークシステムが構成されている。
【００３３】
ユーザー装置１０は、ユーザー装置制御部１１０と、センサー１３０、ユーザー装置出力部１５０と、ユーザー装置入力部１７０とを備える、例えばコンピューターである。ユーザー装置１０は、バッテリーの残存価値の決定に用いられる専用端末でもよいし、パーソナルコンピューター、スマートフォン、タブレット端末などの汎用的な装置でもよい。
【００３４】
ユーザー装置制御部１１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。ユーザー装置制御部１１０は、所定のプログラムを読み込んで実行することにより、バッテリー情報取得部１１１、表示制御部１１３として機能する。
【００３５】
バッテリー情報取得部１１１は、センサー１３０を介して被判定装置７０のバッテリー７１０の電圧、電流、温度及び、製造時期からの経過期間に関する情報を取得する。あるいはさらにバッテリー情報取得部１１１は、該バッテリーの耐用年数を示す情報を取得する。
【００３６】
表示制御部１１３は、サーバー３０の処理結果を受信して、ユーザー装置出力部１５０を構成するディスプレイ１５１に表示する処理を制御する。
【００３７】
センサー１３０は、例えばケーブルＣｂｌ、無線通信などを介して残存価値の決定対象であるバッテリー７１０に接続され、バッテリー情報取得部１１１からの命令に応じて被判定装置７０のバッテリー７１０の電圧、電流、温度及び、バッテリーの製造時期からの経過期間に関する情報を取得する機構である。あるいはさらにセンサー１３０は、残存価値の決定対象であるバッテリー７１０のメーカー名、型式、シリアルナンバーなどの情報を取得するように構成されていてもよい。
【００３８】
ユーザー装置出力部１５０は、例えば表示制御部１１３の処理結果を表示することにより出力するディスプレイ１５１と、表示制御部１１３の処理結果を印刷することにより出力するプリンター１５３とにより構成される。
【００３９】
ユーザー装置入力部１７０は、ユーザーＵによるユーザー装置１０に対する操作の入力を受け付ける、例えばスイッチ、ボタン、タッチパネル、キーボード及びマウス、又はマイクである。
【００４０】
サーバー３０は、サーバー制御部３１０と、サーバー記憶部３３０とを備える、例えばコンピューターである。サーバー３０は、単独のコンピューターにより構成されていてもよいし、複数のコンピューターにより構成されていてもよい。
【００４１】
サーバー制御部３１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。サーバー制御部３１０は、所定のプログラムを読み込んで実行することにより、バッテリー情報受信部３１１、第１残存価値決定部３１３、減衰関数決定部３１５及び、第２残存価値出力部３１７として機能する。
【００４２】
バッテリー情報受信部３１１は、ユーザー装置１０を介して、残存価値の決定対象であるバッテリー７１０の電圧、電流、温度及び製造時期からの経過期間に関する情報を受信する。あるいはさらにバッテリー情報受信部３１１は、該バッテリーの耐用年数を示す情報を受信する。
【００４３】
第１残存価値決定部３１３は、バッテリー情報受信部３１１が受信したバッテリー７１０の電圧、電流及び温度に関する情報に基づいて該バッテリー７１０のＳＯＨ（Ｓｔａｔｅ Ｏｆ Ｈｅａｌｔｈ）を示す第１残存価値を決定する。
【００４４】
減衰関数決定部３１５は、バッテリー７１０の第１残存価値の補正に用いられるバッテリー７１０固有のＳＯＨの経時的な変化を示す減衰関数を決定する。
【００４５】
第２残存価値出力部３１７は、減衰関数を用いてバッテリー７１０の製造時期からの経過期間に応じて第１残存価値を補正した第２残存価値を決定して出力する。
【００４６】
サーバー記憶部３３０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されており、サーバー制御部３１０の処理に用いられる情報、処理結果及びその他必要な情報を記憶している。
【００４７】
通信ネットワーク５０は、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網である。
【００４８】
被判定装置７０は、残存価値の決定対象であるバッテリー７１０を備える、あらゆる装置であるが、例えば電気自動車、ハイブリッド車である。
【００４９】
＜バッテリー残存価値決定システムの処理概要＞
次に、図２を用いてバッテリー残存価値決定システムの処理概要の一例について説明する。
【００５０】
まず、ユーザーＵの操作に応じて、残存価値の決定対象であるバッテリー７１０の電圧、電流、温度及びバッテリー７１０の製造時期からの経過期間に関する情報を取得してサーバー３０に送信するバッテリー情報取得処理が、ユーザー装置１０において実行される（図２／Ｓ１１０）。
【００５１】
そして、ユーザー装置１０から送信された、残存価値の決定対象であるバッテリー７１０の電圧、電流、温度及びバッテリー７１０の製造時期からの経過期間に関する情報を受信するバッテリー情報受信処理がサーバー３０において実行される（図２／Ｓ２１０）。
【００５２】
次に、サーバー３０において、受信したバッテリー７１０の電圧、電流及び温度に関する情報に基づいて該バッテリー７１０のＳＯＨを示す第１残存価値を決定する第１残存価値決定処理が実行され（図２／Ｓ２３０）、バッテリー７１０の第１残存価値の補正に用いられるバッテリー７１０固有のＳＯＨの経時的な変化を示す減衰関数を決定する減衰関数決定処理が実行され（図２／Ｓ２５０）、減衰関数を用いてバッテリー７１０のバッテリー７１０の製造時期からの経過期間に関する情報に応じて第１残存価値を補正した第２残存価値を決定して出力する第２残存価値出力処理が実行される（図２／Ｓ２７０）。
【００５３】
その後、Ｓ２１０からＳ２７０までの一連の処理の実行結果をユーザー装置１０に送信する結果送信処理を実行する（図２／Ｓ３３０）。
【００５４】
そして、ユーザー装置１０において、サーバー３０から処理結果を受信して、ユーザー装置出力部１５０を構成するディスプレイ１５１に表示する表示制御処理が実行されて（図２／Ｓ５１０）、バッテリー残存価値決定システムの一連の処理が終了する。
【００５５】
次に、図３Ａ〜図３Ｂを参照しながら、各処理の内容について説明する。
【００５６】
＜バッテリー情報取得処理＞
ユーザーＵの操作に応じてユーザー装置１０が起動され、センサー１３０が残存価値の決定対象であるバッテリー７１０に接続され、バッテリー情報取得処理を開始させる操作が行われることにより、バッテリー情報取得処理が開始される。
【００５７】
バッテリー情報取得処理が開始されると、バッテリー情報取得部１１１は、センサー１３０を介して残存価値の決定対象であるバッテリー７１０の電圧、電流、温度及びバッテリー７１０の製造時期からの経過期間に関する情報を取得し、あるいはさらに該バッテリー７１０の耐用年数を示す情報を取得し、当該取得した情報をサーバー３０に送信して処理を終了する。
【００５８】
＜バッテリー情報受信処理＞
バッテリー情報受信処理は、サーバー３０が、ユーザー装置１０から残存価値の決定対象であるバッテリー７１０の電圧、電流、温度及びバッテリー７１０の製造時期からの経過期間に関する情報を受信することにより開始される。バッテリー情報受信処理が開始されると、バッテリー情報受信部３１１はユーザー装置１０から受信した情報を必要に応じてサーバー記憶部３３０に記憶して処理を終了する。
【００５９】
＜第１残存価値決定処理＞
第１残存価値決定処理は、サーバー３０において、バッテリー情報受信処理が終了することにより開始される。
【００６０】
第１残存価値決定処理が開始されると、第１残存価値決定部３１３は、バッテリー情報受信部３１１が受信したバッテリー７１０の電圧、電流及び温度に関する情報に基づいて該バッテリーのＳＯＨを示す第１残存価値を決定して、処理を終了する。
【００６１】
第１残存価値決定部３１３が電圧、電流及び温度に関する情報に基づいて該バッテリー７１０のＳＯＨを示す第１残存価値を決定する手法としては、種々の手法が用いられ得る。
【００６２】
例えば第１残存価値決定部３１３は、多数の使用済みバッテリーであって、同一メーカーが同時期に製造販売したバッテリー又はそれらの同等品における電圧、電流、及び温度の値とＳＯＨとの相関関係を回帰分析の手法などを用いて分析することにより得られたＳＯＨ算出モデル又は近似式を用いてバッテリー７１０のＳＯＨを算出することにより決定するように構成される。あるいは例えば第１残存価値決定部３１３は、多数の使用済みバッテリーの電圧、電流、及び温度の値とＳＯＨとを学習させたＡＩを用いてバッテリー７１０のＳＯＨを決定するように構成されてもよい。
【００６３】
＜減衰関数決定処理＞
減衰関数決定処理は、サーバー３０において、第１残存価値決定処理が終了することにより開始される。
【００６４】
減衰関数決定処理が開始されると、減衰関数決定部３１５は、バッテリー７１０の第１残存価値の補正に用いられるバッテリー７１０固有のＳＯＨの経時的な変化を示す減衰関数を決定する。あるいはさらに減衰関数決定部３１５は、減衰関数を用いて減衰係数を決定する。
【００６５】
このとき減衰関数決定部３１５により決定される減衰関数は、バッテリー７１０固有のＳＯＨの経時的な変化を示す関数であれば、例えばバッテリー７１０の製造時期からの経過期間に関する情報を変数とする一次式あるいは多次式でもよいし、その他の変数をさらに用いる関数でもよく、あるいはバッテリー７１０の製造時期からの経過期間とＳＯＨとの相関関係を分析したモデル又は近似式などの種々の手法が用いられうるところであるが、本実施例において減衰関数は、例えば以下のようなシグモイド関数式で表される。
【００６６】
【数１】
2020170622.tif 000004
【００６７】
ただし、ｙはバッテリー７１０の減衰係数であり、ａは定数であり、ｂはバッテリー７１０の耐用年数を示す値であり、ｅはネイピア数であり、ｘはバッテリー７１０の製造時期からの経過期間を年数で示す値である。
【００６８】
減衰関数決定部３１５は例えば上記のような式により、バッテリー情報受信部により受信されたバッテリーの製造時期からの経過期間に関する情報及び該バッテリーの耐用年数を示す情報に基づいて減衰関数を決定し、当該決定した減衰関数を用いて減衰係数を決定する。
【００６９】
より具体的には、減衰関数決定部３１５は、例えばサーバー記憶部３３０にあらかじめ記憶されている定数ａをサーバー記憶部３３０を参照して取得し、該取得した定数ａと、バッテリー情報受信部３１１がユーザー装置１０から受信した情報に含まれるバッテリー７１０の耐用年数を示す値と、バッテリー情報受信部３１１がユーザー装置１０から受信した情報に含まれるバッテリー７１０の製造時期からの経過期間を示す情報を年数に換算した値とを用いて減衰関数を決定する。
【００７０】
そして、減衰関数決定部３１５は、上記式（１）を用いて減衰係数ｙを決定して、処理を終了する。
【００７１】
これにより、バッテリー７１０の残存価値の決定にあたって、当該バッテリー７１０の製造時期からの経過期間と耐用年数とが考慮されるので、バッテリー７１０の残存価値をより正確に決定することができる。
【００７２】
また、上記式（１）が減衰関数として用いられるので、より現実に近いバッテリーの残存価値の経時的な変化のカーブを簡便に近似することができる。
【００７３】
＜第２残存価値出力処理＞
第２残存価値出力処理は、サーバー３０において、減衰関数決定処理が終了することにより開始される。
【００７４】
第２残存価値出力処理が開始されると、第２残存価値出力部３１７は、第１残存価値決定処理にて決定されたバッテリー７１０の第１残存価値に、減衰関数決定処理にて決定された減衰係数ｙを乗じた値を当該バッテリー７１０の第２残存価値として決定して出力して、処理を終了する。
【００７５】
これにより、ユーザーＵは、バッテリー７１０の古さを考慮した、当該バッテリー７１０の正確な残存価値を簡便に知ることができる。
【００７６】
あるいはさらに第２残存価値出力部３１７は、バッテリー７１０の第２残存価値を示すグラフを示す情報を併せて出力するように構成されていてもよい。
【００７７】
＜結果送信処理＞
結果送信処理は、サーバー３０において、第２残存価値出力処理が終了することにより、開始される。
【００７８】
結果送信処理が開始されると、結果送信部３２１は、第２残存価値出力処理により出力された、残存価値の決定対象であるバッテリー７１０の第２残存価値を示す情報を、例えば、残存価値の決定対象であるバッテリー７１０の第１残存価値を示す情報とともにユーザー装置１０に送信して処理を終了する。
【００７９】
あるいはさらに第２残存価値出力部３１７が、バッテリー７１０の第２残存価値を示すグラフを示す情報を併せて出力するように構成されている場合には、当該グラフを示す情報をこれらの情報とともにユーザー装置１０に送信する。
【００８０】
＜表示制御処理＞
表示制御処理は、ユーザー装置１０が、サーバー３０から残存価値の決定対象であるバッテリー７１０の第２残存価値を示す情報を受信することにより開始される。
【００８１】
表示制御処理が開始されると、表示制御部１１３は、サーバー３０から受信した残存価値の決定対象であるバッテリー７１０の第２残存価値を示す情報を含む情報を、図３Ａに示すようにディスプレイ１５１に表示して処理を終了する。
【００８２】
図３Ａは、残存価値の決定対象であるバッテリー７１０の第１残存価値を％を単位として表した値を縦軸とし、該バッテリー７１０の製造時期からの経過期間（以下経過期間という。）を年を単位として表した値を横軸とするグラフＧｒａ１である。
【００８３】
なおグラフＧｒａ１は、上記式（１）の定数ａが０．４であり、バッテリー７１０の耐用年数を示す値ｂが１０（年）であり、処理時点におけるバッテリー７１０の使用された期間の長さが２（年）であって、第１残存価値決定処理にて決定された該バッテリー７１０の第１残存価値が０．９５００である場合を示している。
【００８４】
そして、該グラフＧｒａ１には、バッテリー７１０の第２残存価値の値に応じて、１００％〜９５％、９５％未満〜９０％…と５％刻みのランクに区分して該残存価値ランクの境界を示す表示としての境界線Ｌｉｎ１、Ｌｉｎ２…Ｌｉｎ１９が含まれている。
【００８５】
例えば境界線Ｌｉｎ１は、バッテリー７１０の第１残存価値を第２残存価値に補正した結果の値が１００％〜９５％の残存価値ランクとなるために、各経過期間において第１残存価値の値が何％以上である必要があるかの境界を示している。
【００８６】
より具体的には、経過期間が１年の場合においては、境界線Ｌｉｎ１の境界における第１残存価値の値は９２．４６％である。この値は、「９５％」に経過期間が１年の場合の減衰係数（０．９７３４）を掛け合わせた値である。
【００８７】
同様に、経過期間が２年以降の各場合における、境界線Ｌｉｎ１の境界における第１残存価値の値がサーバー３０において計算され、これらの各経過期間における値をつなぎ合わせた境界線Ｌｉｎ１がグラフＧｒａ１に含まれている。
【００８８】
同様の方法で計算された結果である境界線Ｌｉｎ２…Ｌｉｎ１９が、各残存価値ランクの境界を示す表示としてグラフＧｒａ１に含まれている。
【００８９】
また、グラフＧｒａ１には、残存価値の決定対象であるバッテリー７１０の第１残存価値を示す表示Ｖａｌ１が含まれている。本実施形態においては、当該表示Ｖａｌ１により、経過期間が２年であり、第１残存価値を％を単位として表した値が９５％であることが示されている。
【００９０】
そしてグラフＧｒａ１には、残存価値ランクを第２残存価値の高低に応じて、残存価値の決定対象であるバッテリー７１０を用いることができる用途の種別を示す３つのグループに区分した該グループの境界を示す表示Ｇｒｐ１、Ｇｒｐ２、Ｇｒｐ３が含まれている。
【００９１】
本実施形態においては、表示Ｇｒｐ１は、バッテリーの現在の用途に継続して用いることができることを示す第１グループに含まれる範囲を示しており、当該範囲には、第２残存価値が７５%以上のバッテリー７１０が含まれる。
【００９２】
そして表示Ｇｒｐ２は、現在の用途に用いることはできないが他の用途があることを示す第２グループに含まれる範囲を示しており、当該範囲には、第２残存価値が７５%未満〜３０以上のバッテリー７１０が含まれる。
【００９３】
そして表示Ｇｒｐ３は、現在の用途に用いることはできず他の用途も無いことを示す第３グループに含まれる範囲を示しており、当該範囲には、第２残存価値が３０%未満のバッテリー７１０が含まれる。
【００９４】
また、グラフＧｒａ１には、残存価値の決定対象であるバッテリー７１０の将来の複数時点における第１残存価値の予測値を示す表示Ｅｓｔが含まれている。
【００９５】
さらに、グラフＧｒａ１には、図３Ａに示されるように、該バッテリー７１０の、処理時点における第２残存価値を示す表示Ｖａｌ２が含まれていてもよい。
【００９６】
また、図３Ｂは、減衰関数決定部３１５が、上記の（１）の式に替えて下記の一次式（２）を減衰関数として用いて減衰係数を決定するように構成されている場合のグラフＧｒａ２の内容を示している。
【００９７】
ｙ＝１−x・（１−ｄ）／ｃ…（２）
【００９８】
ただし、ｙはバッテリーの減衰係数であり、ｃはバッテリーの最長使用期間を年数で示す値であり、ｄはバッテリーの最長使用期間経過後の第１残存価値の残存率を示す値であり、ｘはバッテリーの製造時期からの経過期間を示す値である。なお図３Ｂにおいては、ｃを２０（年）、ｄを３０％として計算している。
【００９９】
以上説明したように、本発明によれば、簡便かつ正確にバッテリーの残存価値を決定することができるバッテリー残存価値決定システムを提供することができる。
【０１００】
以上、本発明の実施形態について説明したが、本発明はこれに限定されない。本発明の趣旨を逸脱しない範囲で、種々の変更が可能である。
【０１０１】
例えば、上記においては、ユーザー装置１０と、サーバー３０とを備える構成について説明したが、これに限定されない。例えば、上記のサーバー３０が備えるすべての機能がユーザー装置１０に備えられていてもよい。この場合、サーバー３０は省略される。
【０１０２】
あるいは例えば、上記においては、バッテリー情報取得部１１１は、センサー１３０を介して被判定装置７０のバッテリー７１０の製造時期からの経過期間に関する情報を取得する構成について説明したが、これに限定されない。例えば、バッテリー情報取得部１１１は、センサー１３０を介してバッテリー７１０のメーカー名、型式、シリアルナンバーなどの該バッテリー７１０の製造時期を特定する情報を取得してサーバー３０に送信し、サーバー３０のバッテリー情報受信部３１１が、あらかじめサーバー記憶部３３０に記憶されているバッテリー７１０の製造時期を特定する情報とバッテリー７１０の製造時期を示す情報との対応表を参照して、該バッテリー７１０の製造時期からの経過期間に関する情報を取得するように構成されていてもよい。
【０１０３】
また、上記において表示制御部１１３が、バッテリーの処理時点における第２残存価値の値を、％を単位としてグラフ中に表示するように構成されている場合について説明したが、これに限定されない。
【０１０４】
例えば、表示制御部１１３は、第２残存価値の値を％を単位として表示することに加えて又は替えて、該第２残存価値に対応したランクを表す文字（１００％〜９５％の場合はＡランク、など）又は数字（９５％未満〜９０％以上の場合は５段階評価の４とする、など）、その他の記号をグラフ中に表示するように構成されていてもよい。
【符号の説明】
【０１０５】
１０…ユーザー装置、１１１…バッテリー情報取得部、１１３…表示制御部、１３０…センサー、１５０…ユーザー装置出力部、３０…サーバー、３１１…バッテリー情報受信部、３１３…第１残存価値決定部、３１５…減衰関数決定部、３１７…第２残存価値出力部、７１０…バッテリー。
【図１】
2020170622.tif 000006
【図２】
2020170622.tif 000007
【図３Ａ】
2020170622.tif 000008
【図３Ｂ】
2020170622.tif 000009
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
残存価値の決定対象であるバッテリーの電圧、電流、温度、製造時期からの経過期間に関する情報及び耐用年数を示す情報を受信するバッテリー情報受信部と、
前記バッテリー情報受信部が受信した前記バッテリーの電圧、電流及び温度に関する情報に基づいて該バッテリーの現時点のＳＯＨ（Ｓｔａｔｅ Ｏｆ Ｈｅａｌｔｈ）を示す第１残存価値を決定する第１残存価値決定部と、
前記バッテリー情報受信部により受信された前記バッテリーの前記製造時期からの経過期間に関する情報及び該バッテリーの耐用年数を示す情報と、該バッテリー固有のＳＯＨの経時的な変化を示す減衰関数と、を用いて該バッテリーの前記第１残存価値の補正に用いられる減衰係数を決定する減衰関数決定部と、
前記第１残存価値に前記減衰係数を乗じて該第１残存価値を補正した、前記バッテリーの補正後の現時点のＳＯＨを示す第２残存価値を決定して出力する第２残存価値出力部とを備えることを特徴とするバッテリー残存価値決定システム。
【請求項２】
請求項１に記載のバッテリー残存価値決定システムにおいて、
前記減衰関数決定部は、下記式（１）を前記減衰関数として用いて前記減衰係数を決定するように構成されていることを特徴とするバッテリー残存価値決定システム。
【数１】
2020170622.tif 000010
ただし、ｙは前記バッテリーの減衰係数であり、ａは定数であり、ｂはバッテリーの耐用年数を示す値であり、ｅはネイピア数であり、ｘはバッテリーの製造時期からの経過期間を年数で示す値である。
【請求項３】
コンピューターが実行するバッテリー残存価値決定方法であって、
残存価値の決定対象であるバッテリーの電圧、電流、温度、製造時期からの経過期間に関する情報及び耐用年数を示す情報を受信するバッテリー情報受信工程と、
受信した前記バッテリーの電圧、電流及び温度に関する情報に基づいて該バッテリーの現時点のＳＯＨ（Ｓｔａｔｅ Ｏｆ Ｈｅａｌｔｈ）を示す第１残存価値を決定する第１残存価値決定工程と、
前記受信された前記バッテリーの前記製造時期からの経過期間に関する情報及び該バッテリーの耐用年数を示す情報と、該バッテリー固有のＳＯＨの経時的な変化を示す減衰関数と、を用いて該バッテリーの前記第１残存価値の補正に用いられる減衰係数を決定する減衰関数決定工程と、
前記第１残存価値に前記減衰係数を乗じて該第１残存価値を補正した、前記バッテリーの補正後の現時点のＳＯＨを示す第２残存価値を決定して出力する第２残存価値出力工程とを含むことを特徴とするバッテリー残存価値決定方法。
【手続補正２】
【補正対象書類名】明細書
【補正対象項目名】０００９
【補正方法】変更
【補正の内容】
【０００９】
本発明のバッテリー残存価値決定システムは、
残存価値の決定対象であるバッテリーの電圧、電流、温度、製造時期からの経過期間に関する情報及び耐用年数を示す情報を受信するバッテリー情報受信部と、
前記バッテリー情報受信部が受信した前記バッテリーの電圧、電流及び温度に関する情報に基づいて該バッテリーの現時点のＳＯＨ（Ｓｔａｔｅ Ｏｆ Ｈｅａｌｔｈ）を示す第１残存価値を決定する第１残存価値決定部と、
前記バッテリー情報受信部により受信された前記バッテリーの前記製造時期からの経過期間に関する情報及び該バッテリーの耐用年数を示す情報と、該バッテリー固有のＳＯＨの経時的な変化を示す減衰関数と、を用いて該バッテリーの前記第１残存価値の補正に用いられる減衰係数を決定する減衰関数決定部と、
前記第１残存価値に前記減衰係数を乗じて該第１残存価値を補正した、前記バッテリーの補正後の現時点のＳＯＨを示す第２残存価値を決定して出力する第２残存価値出力部とを備えることを特徴とする。
【手続補正３】
【補正対象書類名】明細書
【補正対象項目名】００１０
【補正方法】変更
【補正の内容】
【００１０】
残存価値の決定対象であるバッテリーの電圧、電流、温度の測定値に基づいて決定されたバッテリーのＳＯＨ（Ｓｔａｔｅ Ｏｆ Ｈｅａｌｔｈ）の値が同一であっても、バッテリーが製造されてから測定時点までの経過期間の長さによって、その後の当該バッテリーの劣化の進行速度は大きく異なり、結果として当該バッテリーの残存価値も大きく異なる。そのため、バッテリーの残存価値を正確に決定するためには、バッテリーの古さ、たとえば製造時期からの経過期間を考慮する必要がある。
また、バッテリーの残存価値を決定する上で、当該バッテリーの将来的なメンテナンスコストの多寡は重要な要素である。そして、バッテリーは、耐用年数を経過した後に故障した場合には、メーカーの保証を受けることができず、メンテナンスコストを当該バッテリーの所有者等自らが負担することとなる。そのため、残存価値の決定対象であるバッテリーの製造時期からの経過期間と、当該バッテリーの耐用年数とは、バッテリーの残存価値を正確に決定する際の重要な要素である。
【手続補正４】
【補正対象書類名】明細書
【補正対象項目名】００１１
【補正方法】変更
【補正の内容】
【００１１】
本発明のバッテリー残存価値決定システムによれば、バッテリー情報受信部により、バッテリーの電圧、電流、温度、製造時期からの経過期間に関する情報及び耐用年数を示す情報が受信され、第１残存価値決定部により、バッテリーの電圧、電流及び温度に関する情報に基づいて該バッテリーの現時点のＳＯＨを示す第１残存価値が決定される。
【手続補正５】
【補正対象書類名】明細書
【補正対象項目名】００１２
【補正方法】変更
【補正の内容】
【００１２】
また、減衰関数決定部によって、バッテリー情報受信部により受信されたバッテリーの製造時期からの経過期間に関する情報及び該バッテリーの耐用年数を示す情報と、該バッテリー固有のＳＯＨの経時的な変化を示す減衰関数と、を用いて該バッテリーの第１残存価値の補正に用いられる減衰係数が決定される。
そして、第２残存価値出力部により、第１残存価値に減衰係数を乗じて該第１残存価値を補正した、バッテリーの補正後の現時点のＳＯＨを示す第２残存価値が決定されて出力される。
【手続補正６】
【補正対象書類名】明細書
【補正対象項目名】００１３
【補正方法】変更
【補正の内容】
【００１３】
これによりユーザーに、バッテリーの製造時期からの経過期間と耐用年数とを考慮した、当該バッテリーの正確な残存価値を簡便に知らせることができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
本発明のバッテリー残存価値決定システムにおいて、
前記減衰関数決定部は、下記式（１）を前記減衰関数として用いて前記減衰係数を決定するように構成されていることが好ましい。